(57)【要約】【課題】  ワンセグ機能を備えた携帯電話機は、テレビ放送の視聴時にはユーザが見やすいように斜めに傾けた状態で設置できる構成が望まれる。しかしながら、卓上ホルダなどでは持ち運びが困難であり、手軽に携帯しえるものでなかった。【解決手段】  携帯電話機のケース１表面に支持部材を保持するスリット７が設けられており、該スリット７に支持部材としてのリング状のアクセサリ６を装着することで、携帯電話機を傾けた状態で机上に設置可能とした。支持部材は種々なものが考えられ、手軽な部材を用いることができる。【選択図】          図１
2008131154.tif 000002
【特許請求の範囲】
【請求項１】
表面に表示画面が設けられた第１ケース、
この第１ケースの裏面に設けられ表面に支持部材を装着可能な保持部が設けられた第２ケースを備えた携帯電話機であって、
上記保持部に上記支持部材を装着した状態で上記携帯電話機を設置したとき、上記支持部が上記携帯電話を支持して上記表示画面が斜め上を向いて設置されることを特徴とする携帯電話機。
【請求項２】
保持部は、第２ケース表面に形成されたスリットであることを特徴とする請求項１に記載の携帯電話機。
【請求項３】
スリットは、携帯電話機を設置したとき、その長さ方向が上下の方向に形成されていることを特徴とする請求項２に記載の携帯電話機。
【請求項４】
スリットには、支持部材を保持する保持部材が長さ方向に複数形成されていることを特徴とする請求項３に記載の携帯電話機。
【請求項５】
保持部材は、スリットの表面から第２ケースの内部に向かうにしたがって支持部材を保持する幅が狭くなるテーパーが形成されていることを特徴とする請求項４に記載の携帯電話機。
【請求項６】
表面に表示画面が設けられた第１ケース、
この第１ケースの裏面に設けられ一辺の縁部に摩擦係数の高い部材が設けられた第２ケースを備えた携帯電話機であって、
上記部材は上記一辺に対向する一辺を壁に立て掛けたとき、滑り止めとして機能することを特徴とする携帯電話機。
【発明の詳細な説明】
【技術分野】
【０００１】
本発明は、表示部を備えた携帯電話機に関し、特にワンセグ機能を具備した携帯電話機へ適用して便なるものである。
【背景技術】
【０００２】
携帯電話機にあっては、メール機能やカメラ機能など様々な機能が付加されて来ており、２００６年４月１日から携帯電話機・移動体端末向けの１セグメント部分受信サービス（所謂、ワンセグサービス）が開始されたことから、今後ワンセグ機能を付加した携帯電話機が広く普及されてくるものと考えられる。
【０００３】
ワンセグ機能付の携帯電話機は、通勤時や外出先でもテレビ放送を視聴できるものであるから、長時間視聴するためには机上などに設置して視聴する場合が多いと考えられ、また、携帯性を確保するために小型軽量化が望まれる。ワンセグ機能付携帯電話機には、テレビ放送を見やすい角度で設置できる構成を付加する必要があり、そのような構成を採用した従来技術として特許文献１及び特許文献２に記載されたものがある。
【０００４】
特許文献１に記載されたものは、携帯電話機本体を装着する卓上ホルダに角度をつけることにより、テレビ電話用にカメラとディスプレイを自分に見やすい角度に傾けることができるようにしたものである。
【０００５】
また、特許文献２に記載されたものは、携帯電話機本体に引き出し構造やヒンジ構造を設け、携帯電話機を自立される際に、スタンドとなる部品を水平方向へ引き出し、又は開いて携帯電話機本体を垂直に自立させるように構成したものである。
【０００６】
【特許文献１】特開２００５−２８６３８７号公報
【特許文献２】特開２００１−３５２３８１号公報
【発明の開示】
【発明が解決しようとする課題】
【０００７】
特許文献１に記載されたものは、携帯電話機とは別体の卓上ホルダを利用したものであり、通常、卓上ホルダは自宅に設置されるものであるから、使用場所が自宅に限られてしまう。また、卓上ホルダを持ち運ぶことは可能であるが、携帯電話機と同等の大きさであり、手軽に携帯し得るものではない。
【０００８】
一方、特許文献２に記載されたものは、携帯電話機を垂直に自立させるものであり、テレビ放送を視聴するための見やすい角度（一般に、１０度〜４０度）に傾けることができないものであり、また本体への実装スペースが大きくなり、小型薄型化が困難であり、かつ、部品点数が増え、コストアップになってしまう問題点がある。
【０００９】
本発明は、上述した従来の問題点に鑑みてなされたものであり、小型薄型化に影響を与えることなく、適宜な角度に傾けて設置することができる携帯電話機を提供することを目的としている。
【課題を解決するための手段】
【００１０】
本発明に係る携帯電話機は、表面に表示画面が設けられた第１ケース、この第１ケースの裏面に設けられ表面に支持部材を装着可能な保持部が設けられた第２ケースを備えた携帯電話機であって、上記保持部に上記支持部材を装着した状態で上記携帯電話機を設置したとき、上記支持部が上記携帯電話を支持して上記表示画面が斜め上を向いて設置されるように構成したものである。
【００１１】
また、本発明に係る携帯電話機は、表面に表示画面が設けられた第１ケース、この第１ケースの裏面に設けられ一辺の縁部に摩擦係数の高い部材が設けられた第２ケースを備えた携帯電話機であって、上記部材は上記一辺に対向する一辺を壁に立て掛けたとき、滑り止めとして機能するように構成したものである。
【発明の効果】
【００１２】
本発明は、保持部に支持部材を単に装着するだけで携帯電話機を傾けて支持できるので、小型薄型化に影響を与えることなく、携帯電話機を適宜な角度に傾けて設置することができる効果がある。
【００１３】
また、本発明は、携帯電話機を壁に立て掛けたとき、摩擦係数の高い部材が滑り止めとして機能するので、小型薄型化に影響を与えることなく、携帯電話機を適宜な角度に傾けて設置することができる効果がある。
【発明を実施するための最良の形態】
【００１４】
以下、本発明の実施の形態を図に基づいて詳述する。図１は本発明の実施の形態を示した斜視図であり、２つの筐体ケース１、２がスライドすることにより開閉可能なスライド式携帯電話機を裏面側から見た図である。図１から見えない側の筐体ケース１の表面にはテレビ放送を視聴するＬＣＤ等の表示画面が設けられている。
【００１５】
図１において、１は第１の筐体ケースであり、表面に表示画面（図示せず）が設けられている。２は第１の筐体ケース１の裏面に設けられた第２の筐体ケース、３はカメラ部、４は第２の筐体ケース２内に収納された電池をカバーする電池カバー、５はストラップ、６はこのストラップ５先端に付けられたリング状のアクセサリ、７は第２の筐体ケース２表面に設けられた保持部としてのスリットであり、図１のように設置したとき、その長さ方向が上下方向になるように形成されている。
【００１６】
図２（ａ）はスリット７部分を拡大した図であり、スリット７内には互いに向かい合った保持部材としての一対のリブ８がスリット７の長さ方向に２箇所設けられている。図２（ｂ）は図２（ａ）におけるＡ−Ａ線における断面図であり、スリット７及びリブ８を拡大して示している。即ち、スリット７は第２の筐体ケース２の内部方向に所定の深さを持っており、スリット７内に設けられた一対のリブ８はスリット７の表面側から第２の筐体ケース２の内部へ向かうにしたがって対向するリブ８同士の間隔が狭くなるように形成されている。本実施の形態では、一対のリブ８のスリット７表面側の間隔は２ｍｍであり、第２の筐体ケース２の内部側の間隔は１ｍｍとしている。
【００１７】
即ち、一対のリブは１ｍｍ〜２ｍｍの支持部材を保持できるようになっており、図３に示すように支持部材としてリング状のアクセサリ６を装着し、携帯電話機を斜めに傾けた状態で支持することができる。このように、携帯電話機を支持することでテレビ放送を視聴する場合、ユーザは携帯電話機を手に持つことなく、机上等に設置して視聴できる。また、この実施の形態ではアクセサリ６を支持部材として装着しているが、万が一アクセサリ６を紛失したような場合でも、手持ちのコイン等、身の回りにある同等形状で厚みが１ｍｍ〜２ｍｍのものがあれば支持部材として代用できる。なお、携帯電話機を机上等に斜めに傾けた状態で設置するためには、図４に示すように携帯電話機の両端部とアクセサリ６が机上へ接触している点を結ぶ３角形の領域内に携帯電話機本体の重心が位置するようになっていればよい。
【００１８】
また、机上へ携帯電話機を設置してテレビ放送を視聴する際における傾き角度は、視聴するユーザと携帯電話機の距離や、ユーザの目線の高さによって見やすい角度が異なるが、一般に１０度〜４０度の間にある。上記の実施の形態ではスリット７内に一対のリブ８を２組設けているが、図５（ａ）に示すようにスリット７内にリブ８を多数設けることにより、図５（ｂ）に示すように多様な角度に携帯電話機を傾けて設置することが可能になる。
【００１９】
図６は別の実施の形態を示す図である。図６の実施の形態はスリット７内に保持部材としてのクリッブ９を設けたものであり、図７にその詳細を示す。クリップ９は金属製であり、スリット７内に埋め込まれており、支持部材を確実に挟み込んで容易に外れないように構成されている。この実施の形態では、クリップ９を用いることにより、厚みの薄い支持部材でもクリップ９が挟み込んで保持することができる。
【００２０】
図８は別の実施の形態を示す図である。この実施に形態は、携帯電話機の側面表面に取り外し自在に通常設けられているＩ／Ｏコネクタ、イヤホンコネクタ、記録カード用コネクタをカバーするキャップ１０を支持部材として用いるものである。したがって、第２の筐体ケースにはキャップ１０端部の取り付け部を受け入れる形状のスリット７が形成されている。キャップ１０は支持部材として用いるため、携帯電話機を支持するのに耐えうる剛性が必要であり、ＡＢＳ、ＰＣ、又はＡＢＳ＋ＰＣ等の樹脂で構成、あるいは、これらＡＢＳ、ＰＣ、又はＡＢＳ＋ＰＣ等の樹脂と弾性力のあるエラストマ、シリコーン等の樹脂とを２色成型して構成される。この実施の形態では、携帯電話機に標準装備されているキャップ１０を利用することにより、携帯電話機の部品点数増加の抑制、コストアップの抑制が図れる効果がある。
【００２１】
図９はさらに別の実施の形態を示す図である。この実施の形態は第２の筐体ケースに保持部として小孔１１を設けたものである。即ち、図１０に示すように小孔１１に爪楊枝１２のような支持部材を装着させて携帯電話機を支持することにより、該携帯電話機を机上に傾けた状態で設置することができる。この実施の形態では、特別な指示部材を用意しておく必要がなく、外出先のレストラン、喫茶店等の飲食店で爪楊枝１２を使用することにより、手軽に携帯電話機を見やすい角度に傾けてテレビ視聴ができる。
【００２２】
図１１はさらにまた別の実施の形態を示す図である。この実施の形態は、第２の筐体ケース２の１辺の縁部に摩擦係数の高い樹脂からなる滑り止め１３を配設したものである。即ち、図１２に示すように携帯電話機の第２の筐体２における滑り止め１３を配設した辺と対向する辺を壁に立て掛けることにより、携帯電話機を机上に傾けた状態で設置することができる。滑り止め１３に用いる樹脂材料としては、エラストマ、シリコーン等の摩擦係数が高い材料が望ましい。この実施の形態では、特別な指示部材を用意しておく必要がなく、様々な場所で手軽に携帯電話機を見やすい角度に傾けてテレビ視聴ができる。
【産業上の利用可能性】
【００２３】
本発明は、特にワンセグ機能を備えた携帯電話機へ適用される。
【図面の簡単な説明】
【００２４】
【図１】本発明の実施の形態を示す携帯電話機の斜視図である。
【図２】本発明の実施の形態に係る図１における要部を示す図である。
【図３】本発明の実施の形態に係る図１における携帯電話機の使用状態を示す図である。
【図４】本発明の実施の形態に係る原理を示した図である。
【図５】本発明の実施の形態に係る携帯電話機の図である。
【図６】本発明の別の実施の形態を示す図である。
【図７】図６におけるＢ−Ｂ線における断面図である。
【図８】本発明の別の実施の形態を示す図である。
【図９】本発明のさらに別の実施の形態を示す図である。
【図１０】図９の実施の形態に係る携帯電話機の使用状態を示す図である。
【図１１】本発明のさらに別の実施の形態を示す図である。
【図１２】図１１の実施の形態に係る携帯電話機の使用状態を示す図である。
【符号の説明】
【００２５】
１  第１筐体ケース    ２  第２筐体ケース    ７  スリット    ８  リブ
【図１】
2008131154.tif 000003
【図２】
2008131154.tif 000004
【図３】
2008131154.tif 000005
【図４】
2008131154.tif 000006
【図５】
2008131154.tif 000007
【図６】
2008131154.tif 000008
【図７】
2008131154.tif 000009
【図８】
2008131154.tif 000010
【図９】
2008131154.tif 000011
【図１０】
2008131154.tif 000012
【図１１】
2008131154.tif 000013
【図１２】
2008131154.tif 000014